(57)【特許請求の範囲】
【請求項１】
案内レールと、スライダと、複数個の転動体と、を備え、前記案内レールおよびスライダは、互いに対向配置されて転動体の転動通路を形成する転動面を有し、前記転動通路を転動体が転動することにより、案内レールおよびスライダの一方が他方に対して相対的に直線運動するリニアガイド装置を構成する前記スライダの運動方向両端に固定され、スライダと案内レールの上面および両側面との間を密封するサイドシールであって、
前記案内レールの上面および両側面と隙間を開けて対向する上部材および両側部材からなるカバーと、
前記カバーと前記スライダとの間に配置され、リップ部を案内レールの上面および両側面に接触させるシール部材と、
前記シール部材の基部を保持する保持板と、
を有し、
前記シール部材の基部は、厚さ方向の中心線に対して線対称形であり、前記保持板と凹凸の嵌め合いで係合する係合部を厚さ方向両面に有し、
前記シール部材のリップ部は、厚さ方向の一端側から他端側に傾斜し、
前記基部の厚さ方向両面の一方に形成された第一の係合部と前記保持板とが凹凸の嵌め合いで係合され、前記基部の厚さ方向両面の他方に形成された第二の係合部が前記カバーに向けて配置され、
前記カバーの前記シール部材側の面は平坦面であり、
前記平坦面と前記第二の係合部側の基部とが接触し、前記平坦面と前記第二の係合部の凹凸を構成する凹部とからなる隙間を有することを特徴とするリニアガイド装置用サイドシール。
【請求項２】
案内レールと、スライダと、複数個の転動体と、を備え、前記案内レールおよびスライダは、互いに対向配置されて転動体の転動通路を形成する転動面を有し、前記転動通路を転動体が転動することにより、案内レールおよびスライダの一方が他方に対して相対的に直線運動するリニアガイド装置であって、
請求項１記載のサイドシールが、前記リップ部の傾斜した先端を前記カバー側に向けて前記スライダの運動方向両端に固定されているリニアガイド装置。
【請求項３】
案内レールと、スライダと、複数個の転動体と、を備え、前記案内レールおよびスライダは、互いに対向配置されて転動体の転動通路を形成する転動面を有し、前記転動通路を転動体が転動することにより、案内レールおよびスライダの一方が他方に対して相対的に直線運動するリニアガイド装置であって、
請求項１記載のサイドシールが、前記リップ部の傾斜した先端を前記保持板側に向けて前記スライダの運動方向両端に固定されているリニアガイド装置。
【請求項４】
案内レールと、スライダと、複数個の転動体と、を備え、前記案内レールおよびスライダは、互いに対向配置されて転動体の転動通路を形成する転動面を有し、前記転動通路を転動体が転動することにより、案内レールおよびスライダの一方が他方に対して相対的に直線運動するリニアガイド装置であって、
前記リップ部の傾斜した先端を前記カバー側に向けた請求項１記載のサイドシールと前記リップ部の傾斜した先端を前記保持板側に向けた請求項１記載のサイドシールとが組み合わされて、前記スライダの運動方向両端に固定されているリニアガイド装置。
【発明の詳細な説明】
【技術分野】
【０００１】
この発明は、リニアガイド装置を構成するスライダの運動方向両端に固定されるサイドシールに関する。
【背景技術】
【０００２】
リニアガイド装置の従来例を図１１に示す。このリニアガイド装置は、案内レール１００とスライダ（「ベアリング」とも称される）２００と複数個のころ（転動体）３００とを備えている。案内レール１００およびスライダ２００は、互いに対向配置されてころ３００の転動通路を形成する転動面１１０，２１０を有する。
スライダ２００は、案内レール１００の長さ方向で、スライダ本体２０１と、その両端に固定されたエンドキャップ２０２と、さらにその両端に固定されたサイドシール２０３とに分けられる。転動面２１０はスライダ本体２０１に形成されている。スライダ１０２の直動方向両端に配置されたサイドシール２０３は、スライダ２００と案内レール１００の上面および両側面との間をリップ部により密封する。
【０００３】
スライダ２００は、また、ころ３００の戻し通路２２１と、この戻し通路２２１と前記転動通路とを連通させる方向転換路２２２を有する。戻し通路２２１はスライダ本体２０１に、方向転換路２２２はエンドキャップ２０２に形成されている。スライダ２００の上面には、テーブル等をねじ止めで取り付けるための雌ねじ２０５が形成されている。
サイドシール２０３およびエンドキャップ２０２にグリースニップル４００の取り付け穴が形成されている。グリースニップル４００からエンドキャップ２０２の油路に潤滑剤が導入されて、リニアガイド装置の潤滑が行われる。サイドシール２０３およびエンドキャップ２０２はボルト５００でスライダ本体２０１に固定されている。案内レール１００には、基台等の被取付部に案内レール１００をボルトで取り付けるための取り付け穴１２０が形成されている。
【０００４】
このリニアガイド装置は、前記転動通路、戻し通路、および方向転換路で転動体の循環経路が構成され、この循環経路内をころ３００が循環することにより、案内レール１００およびスライダ２００の一方が他方に対して相対的に直線運動する。
このようなリニアガイド装置のサイドシールの従来例としては、金属製の保持板にゴム製のシール部材の基部が固定され、シール部材のリップ部を案内レールの上面および両側面に接触させて使用するものが挙げられる。
【０００５】
下記の特許文献１には、サイドシールの保持板（ケース部）とリップ部（シールリップ）を有するシール部材（シール部）とを別部材で構成し、シール部材の保持板と反対側に、案内レールの外面と隙間を空けて対向配置されるスクレーパー部を設けることが記載されている。保持板とシール部は凹凸の嵌め合いで係合されている。このサイドシールによれば、先ずスクレーパー部で比較的大きな異物が排除されることで、シールリップの長寿命化および作動性向上が図られる。
【先行技術文献】
【特許文献】
【０００６】
【特許文献１】特開２００７−２１１９００号公報
【発明の概要】
【発明が解決しようとする課題】
【０００７】
サイドシールのリップ部の向きは、リニアガイド装置の防塵性能を特に重視する場合と密封性能を特に重視する場合とで反対向きに設定される。特許文献１のサイドシールは、組み立て方によってリップ部の向きを変更可能なものではないため、リップ部の向きが異なるサイドシールを得るために、保持板とシール部材を二種類用意しておく必要がある。これに対して、サイドシールが組み立て方によってリップ部の向きを変更可能であれば、シール部材を成形するための金型作製や在庫に伴うコストを低減することができる。
この発明の課題は、シール部材、シール部材を保持する保持板、およびシール部材の手前に配置するカバー（スクレーパ）を構成部品として有するリニアガイド装置用サイドシールとして、各構成部品を一種類用意しただけで、シール部材のリップ部の向きが異なる二種類のサイドシールとして使用できるものを提供することである。
【課題を解決するための手段】
【０００８】
上記課題を解決するために、この発明のリニアガイド装置用サイドシールは、案内レールと、スライダと、複数個の転動体と、を備え、前記案内レールおよびスライダは、互いに対向配置されて転動体の転動通路を形成する転動面を有し、前記転動通路を転動体が転動することにより、案内レールおよびスライダの一方が他方に対して相対的に直線運動するリニアガイド装置を構成する前記スライダの運動方向両端に固定され、スライダと案内レールの上面および両側面との間を密封するサイドシールであって、前記案内レールの上面および両側面と隙間を開けて対向する上部材および両側部材からなるカバーと、前記カバーと前記スライダとの間に配置され、リップ部を案内レールの上面および両側面に接触させるシール部材と、前記シール部材の基部を保持する保持板と、を有し、前記シール部材の基部は、厚さ方向（取付状態で前記スライダの運動方向）の中心線に対して線対称形であり、前記保持板と凹凸の嵌め合いで係合する係合部を厚さ方向両面に有し、前記シール部材のリップ部は、厚さ方向の一端側から他端側に傾斜していることを特徴とする。
また、この発明のリニアガイド装置用サイドシールは、前記基部の厚さ方向両面の一方に形成された第一の係合部と前記保持板とが凹凸の嵌め合いで係合され、前記基部の厚さ方向両面の他方に形成された第二の係合部が前記カバーに向けて配置され、前記カバーの前記シール部材側の面は平坦面であり、前記平坦面と前記第二の係合部側の基部とが接触し、前記平坦面と前記第二の係合部の凹凸を構成する凹部とからなる隙間を有する。
【０００９】
この発明のリニアガイド装置用サイドシールによれば、シール部材の基部と保持板との凹凸の嵌め合いを、前記基部の厚さ方向両面のいずれの面で行うかによって、シール部材のリップ部の向きを変えることができる。これにより、シール部材のリップ部の向きが異なる二種類のサイドシールを組み立てることができる。
【発明の効果】
【００１０】
この発明のリニアガイド装置用サイドシールによれば、各構成部品を一種類用意しただけで、シール部材のリップ部の向きが異なる二種類のサイドシールとして使用することができる。
【図面の簡単な説明】
【００１１】
【図１】実施形態のサイドシールを構成するシール部材、保持板、カバーを示す斜視図である。
【図２】実施形態のサイドシールを構成するシール部材を示す正面図である。
【図３】図２のＡ−Ａ断面図である。
【図４】実施形態のサイドシールを構成する保持板を示す正面図である。
【図５】図４のＢ−Ｂ断面図である。
【図６】実施形態のサイドシールをカバー側から見た正面図である。
【図７】実施形態のサイドシールの２通りの組み立て方を示す断面図（図６のＣ−Ｃ断面図に相当）である。
【図８】実施形態のサイドシールを取り付けたリニアガイド装置の一例を示す概略構成図である。
【図９】実施形態のサイドシールを取り付けたリニアガイド装置の一例を示す概略構成図である。
【図１０】実施形態のサイドシールを取り付けたリニアガイド装置の一例を示す概略構成図である。
【図１１】リニアガイド装置の従来例を示す一部破断斜視図である。
【発明を実施するための形態】
【００１２】
以下、この発明の実施形態について説明する。
この実施形態のサイドシールは、前述の図１１に示すリニアガイド装置のサイドシール２０３として使用可能であって、図１に示すように、シール部材１と、保持板２と、カバー３とで構成されている。
シール部材１は、図２に示すように、正面から見た配置で、案内レール１００（図１１）の上側に配置される上側シール部１ａと、案内レール１００の左右各側に配置される側方シール部１ｂとに分けられる。シール部材１は、また、図２および図３に示すように、各シール部１ａ，１ｂが案内レールと向かい合う方向で、案内レールの上面および両側面に接触させるリップ部１１と、保持板２に保持される基部１２とに分けられる。
【００１３】
シール部材１の基部１２は、図３に示すように、厚さ方向（取付状態でスライダの運動方向）の中心線Ｃに対して線対称形であり、厚さ方向両面１３，１４に、保持板２と凹凸の嵌め合いで係合する凹部（係合部）１２ａが形成されている。この凹部１２ａにより、基部１２が先端部１２ｂと基端部１２ｃとに分けられる。
シール部材１のリップ部１１は、基部１２の先端部１２ｂに形成され、基部１２の厚さ方向の第１の面１３側から第２の面１４側に傾斜している。シール部材１の最も外側（案内レールから離れる側）の面である第３の面１５は、基端部１２ｃの第１および第２の面１３，１４と直交する。
【００１４】
保持板２は、図４および図５に示すように、スライダ２００（図１１）を構成するエンドキャップ２０２（図１１）とほぼ同じ面形状を有し、案内レール１００の上側に配置される上側部２ａと、案内レール１００の左右各側に配置される側方部２ｂとからなる。上側部２ａには、ボルト５００（図１１）を通す貫通穴５２とグリースニップル４００（図１１）を取り付ける貫通穴４２が形成されている。側方部２ｂには、ボルト５００を通す貫通穴５２が形成されている。保持板２の内側（案内レール側）に、シール部材１の基部１２を保持する保持部２０が形成されている。
【００１５】
保持部２０は、シール部材１の基部１２の凹部１２ａに嵌まる凸部２１と、凸部２１の内側に形成された第１の保持面２２と、凸部２１の外側に形成された第２の保持面２３と、第２の保持面２３の外側に形成された第３の保持面２４とからなる。第１の保持面２２と第２の保持面２３は保持板２の板面と平行であり、第３の保持面２４は保持板２の板面と直交する。
【００１６】
カバー３は、図１および図６に示すように、スライダ２００を構成するエンドキャップ２０２とほぼ同じ面形状を有し、案内レール１００の上面と隙間を開けて対向する上部材３１と、案内レール１００の左右各側面と隙間を開けて対向する側部材３２とからなる。上部材３１には、ボルト５００を通す貫通穴５３とグリースニップル４００を取り付ける貫通穴４３が形成されている。側部材３２には、ボルト５００を通す貫通穴５３が形成されている。
このサイドシールの組み立て方は、図７（ａ）（ｂ）に示す２通りがある。
保持板２の保持部２０に対してシール部材１の基部１２は、凸部２１に凹部１２ａを嵌めることで保持される。その際に、第３の保持面２４と、第２の保持面２３と、凸部２１の第３の保持面２４と対向する面と、で形成される凹部に、基端部１２ｃが嵌まる。
【００１７】
図７（ａ）のサイドシール２０３Ａは、保持板２の保持部２０の凹凸面に、シール部材１の基部１２の第１の面１３を向けて、シール部材１を配置した例である。この場合、保持部２０の第１の保持面２２に、基部１２の先端部１２ｂの第１の面１３が接触し、リップ部１１の傾斜した先端はカバー３側に向く。また、保持部２０の第２の保持面２３に、基部１２の基端部１２ｃの第１の面１３が接触する。
【００１８】
図７（ｂ）のサイドシール２０３Ｂは、保持板２の保持部２０の凹凸面に、シール部材１の基部１２の第２の面１４を向けて、シール部材１を配置した例である。この場合、保持部２０の第１の保持面２２に、基部１２の先端部１２ｂの第２の面１４が接触し、リップ部１１の傾斜した先端は保持板２側に向く。また、保持部２０の第２の保持面２３に、基部１２の基端部１２ｃの第２の面１４が接触する。
以上のように、この実施形態のサイドシールによれば、シール部材１、保持板２、およびカバー３をそれぞれ一種類用意しただけで、シール部材１のリップ部の向きが異なる二種類のサイドシールとして使用することができる。
【００１９】
リニアガイド装置の防塵性能を特に重視する場合は、例えば図８に示すように、図７（ａ）に示す組み立て方のサイドシール２０３Ａを取り付けて、スライダ２００の運動方向の両側でリップ部１１を外側に向ける。
リニアガイド装置の密封性能を特に重視する場合は、例えば図９に示すように、図７（ｂ）に示す組み立て方のサイドシール２０３Ｂを取り付けて、スライダ２００の運動方向の両側でリップ部１１を内側に向ける。
また、図１０に示すように、スライダの運動方向の両側に、図７（ａ）に示す組み立て方のサイドシール２０３Ａと図７（ｂ）に示す組み立て方のサイドシール２０３Ｂの両方を組み合わせて取り付けることもできる。
【符号の説明】
【００２０】
１  シール部材
１ａ  上側シール部
１ｂ  側方シール部
１１  リップ部
１２  基部
１２ａ  基部の凹部（係合部）
１２ｂ  基部の先端部
１２ｃ  基部の基端部
１３  基部の第１の面
１４  基部の第２の面
１５  基部の第３の面
Ｃ  基部の厚さ方向の中心線
２  保持板
２ａ  保持板の上側部
２ｂ  保持板の側方部
２０  保持部
２１  凸部
２２  第１の保持面
２３  第２の保持面
２４  第３の保持面
３  カバー
３１  カバーの上部材
３２  カバーの側部材
４２  グリースニップルを取り付ける貫通穴
４３  グリースニップルを取り付ける貫通穴
５２  ボルトを通す貫通穴
５３  ボルトを通す貫通穴
１００  案内レール
１１０  案内レールの転動面
２００  スライダ
２０１  スライダ本体
２０２  エンドキャップ
２０３  サイドシール
２０５  雌ねじ
２１０  スライダの転動面
２２１  戻し通路
２２２  方向転換路
３００  ころ（転動体）
４００  グリースニップル
５００  ボルト
【図１】
0005691393.tif 000002
【図２】
0005691393.tif 000003
【図３】
0005691393.tif 000004
【図４】
0005691393.tif 000005
【図５】
0005691393.tif 000006
【図６】
0005691393.tif 000007
【図７】
0005691393.tif 000008
【図８】
0005691393.tif 000009
【図９】
0005691393.tif 000010
【図１０】
0005691393.tif 000011
【図１１】
0005691393.tif 000012